(57)【特許請求の範囲】
【請求項１】
開口部となる貫通孔が形成された本体部と、この本体部の両端部に形成され、容器に係止可能な係止部を備え、
板状材料から形成され、前記各係止部が前記本体部に折り曲げ可能に連設され、
前記各係止部の先端部の両側部が張り出していることを特徴とする容器の開口部の補助部材。
【請求項２】
開口部となる貫通孔が形成された本体部と、この本体部の両端部に形成され、容器に係止可能な係止部を備え、
板状材料から形成され、前記各係止部が前記本体部に折り曲げ可能に連設され、
前記各係止部の基部に連設された係止片が形成されていることを特徴とする容器の開口部の補助部材。
【発明の詳細な説明】
【０００１】
【発明の属する技術分野】
本発明は、容器の補助部材に関し、特に容器の開口部に容易に着脱できて、開口部の開口面積を狭くすることができる補助部材に関するものである。
【０００２】
【従来の技術】
従来から、切り花等を輸送する場合に、切り花等を入れる容器が用いられている。この容器は、ほとんどの場合バケツ状のものである。このバケツ状の容器の底に水（栄養剤を含む。）を入れた状態で、切り花等の束をこの容器に入れて輸送することになる。
【０００３】
【発明が解決しようとする課題】
しかし、バケツの開口部とほぼ同じ束状態の切り花等をバケツに入れて輸送するときには問題ないが、切り花等の束の径がバケツの開口部より著しく小さい場合には、バケツに入れた切り花等を固定することが容易ではない。
このため、このような切り花等を固定して輸送すること等が容易ではないという問題があった。
そこで、本発明が解決しようとする課題は、容器の開口部より切り花等の束の径が小さい場合でも、切り花等を容易に容器に固定することができる補助部材を提供することである。
【０００４】
【課題を解決するための手段】
上記課題を解決するため、請求項１に記載された発明は、開口部となる貫通孔が形成された本体部と、この本体部の両端部に形成され、容器に係止可能な係止部を備え、板状材料から形成され、前記各係止部が前記本体部に折り曲げ可能に連設され、前記各係止部の先端部の両側部が張り出していることを特徴とする容器の開口部の補助部材である。
【０００５】
請求項１記載の発明により、前記各係止部を容器の開口部の縁（例えば容器の側壁部の上端部）に係止することにより、容器の開口部を前記本体部で覆い、前記本体部の貫通孔を容器の開口部とすることができる。さらに、前記本体部により容器の開口部を覆った状態で前記各係止部を容器の開口部の縁に係止することが容易になる。さらに、この張り出した両側部を容器の開口部の縁を構成する側壁部の開口部等に係止することが容易になる。
【０００６】
さらに、請求項２に記載された発明は、開口部となる貫通孔が形成された本体部と、この本体部の両端部に形成され、容器に係止可能な係止部を備え、板状材料から形成され、前記各係止部が前記本体部に折り曲げ可能に連設され、前記各係止部の基部に連設された係止片が形成されていることを特徴とする容器の開口部の補助部材である。
【０００７】
請求項２記載の発明により、前記各係止部を容器の開口部の縁に係止することにより、容器の開口部を前記本体部で覆い、前記本体部の貫通孔を容器の開口部とすることができる。さらに、前記本体部により容器の開口部を覆った状態で前記各係止部を容器の開口部の縁に係止することが容易になる。さらに、この係止片を容器の開口部の縁に容易に係止することができる。
【０００８】
【発明の実施の形態】
以下、本発明における実施の形態を図面に基いて説明する。
（第１の実施の形態）
図１は、本発明の第１の実施の形態に係る補助部材を備えた容器を示す。図１において、容器１は、容器本体１０および上枠体２０を備えている。上枠体２０は容器本体１０の上側に重ねられている。補助部材３０は、上枠体２０の上面開口部２１の面積を狭くするために使用されている。補助部材３０の本体部３１は上面開口部２１を覆うように配置されているので、本体部３１の中央部の貫通孔３１ａが上枠体２０の実質的な開口部となる。
【０００９】
具体的には以下のようになる。上枠体２０の上面開口部２１の縁は、側壁部２２の上端部である。側壁部２２には、４つの開口部２２ａ、２２ｂ、２２ｃ、２２ｄ（図２参照）が形成されている。側壁部２２の段差２２ｘが容器本体１０の側壁部１２の上端部１２ａ（図２参照）上に配置されている。このとき、側壁部２２のうち段差２２ｘより下の部分が容器本体１０の側壁部１２内に挿入される。
【００１０】
補助部材３０は、ダンボール、板紙、合成樹脂板等の板状材料を加工したものである。補助部材３０の本体部３１は、上枠体２０の上面開口部２１を覆うように配置され、本体部３１の図示手前端部に折り曲げ線３１ｉ、３１ｊを介して係止部３２が連設されている。係止部３２の先端部の両側部に張り出し部３２ａ、３２ｂが形成されている。この張り出し部３２ａ、３２ｂが開口部２２ａから側壁部２２の内側へ差し込まれている。
さらに、本体部３１の図示後方端部に折り曲げ線３１ｐ、３１ｑを介して係止部３３（図５参照）が連設され、係止部３３の先端部の両側部に張り出し部３３ａ、３３ｂ（図５参照）が形成されている。この張り出し部３３ａ、３３ｂが開口部２２ｃ（図２参照）から側壁部２２の内側へ差し込まれている。
【００１１】
本体部３１の２つの隅部に切欠３１ｂ、３１ｃが形成されている。このため、切欠３１ｂ、３１ｃから上面開口部２１中に手の指を入れることができるので、補助部材３０を上枠体２０から外すことが容易になる。
【００１２】
本体部３１の貫通孔３１ａの縁に直交するようにこの縁から本体部３１側に多数の切込３１ｄ（図５参照）が形成され、これらの切込３１ｄの先端部を連結するように円形の折り曲げ線３１ｆが形成されている。さらに、前記切込３１ｄの先端部方向の延長線上に破線状の切込（ミシン目）３１ｅが形成され、これらの破線状の切込３１ｅの先端部を連結するように円形の折り曲げ線３１ｇが形成されている。なお、貫通孔３１ａの縁および折り曲げ線３１ｆ、３１ｇは同心円状に形成されている。
そして、折り曲げ線３１ｆに沿って本体部３１が山折りされているので、切り花の束４０を貫通孔３１ａから容器１の内部に差し込み易くなっている。
【００１３】
図２は、図１のII−II断面を示す。図２において、本体部３１と係止部３２の境界の折り曲げ線３１ｉおよび本体部３１と係止部３２の境界の折り曲げ線３１ｐは、山折りされている。係止部３２は、折り曲げ線３２ｋに沿って山折りされ、係止部３３は、折り曲げ線３３ｒに沿って山折りされている。このため、係止部３２、３３の先端部は、上枠体２０の内部の方向に向いている。
切り花の束４０の上部４１は、補助部材３０より図示上方に露出し、切り花の束４０の下部４２は、容器本体１０内に差し込まれている。
【００１４】
（第２の実施の形態）
図３は、本発明の第２の実施の形態に係る容器の開口部の補助部材を示す。図３において、容器本体１０の外枠部１４に開口部（１４ａ、１４ｂ等）が形成されている。
補助部材３０の本体部３１は折り曲げ線３１ｈ、３１ｎに沿って山折りされている。係止部３２は、折り曲げ線３２ｋ、３２ｍに沿って谷折りされ、係止部３２に連設された係止片３４が容器１の容器本体１０の外枠部１４の開口部１４ａから外枠部１４の上端部の内部に差し込まれている。なお、外枠部１４の上端部は、容器本体１０の上面開口部１１（図４参照）の縁となる。
【００１５】
図４は、図３のIV−IV断面を示す。図４において、補助部材３０は容器本体１０の上面開口部１１を覆うように配置されている。係止部３３は、折り曲げ線３３ｒ、３３ｓ（図５参照）に沿って谷折りされ、係止部３３の基部に連設された係止片３５（図５参照）が容器本体１０の外枠部１４の開口部１４ｃから外枠部１４の内部に差し込まれている。
切り花の束５０の上部５１は、補助部材３０の図示上方に位置し、切り花の束５０の下部５２は、容器本体１０の内部に差し込まれている。
なお、１３は容器本体１０の底部である。
【００１６】
図５は、補助部材３０を展開した状態を示す。図５において、本体部３１は、補助部材３０のうち折り曲げ線３１ｉ、３１ｊと折り曲げ線３１ｐ、３１ｑとの間の部分である。係止片３４は、切込により本体部３１および係止部３２のうち折り曲げ線３２ｋ、３２ｍより図示上部分と分離されている。同様にして、係止片３５は、切込により本体部３１および係止部３３のうち折り曲げ線３３ｒ、３３ｓより図示下部分と分離されている。
【００１７】
なお、上記各実施の形態において、補助部材３０の破線状の切込３１ｅを切断して直線状の切込とし切込３１ｄと一体にし、折り曲げ線３１ｇを山折りすると、上記各実施の形態の場合よりも径の大きい切り花の束を貫通孔３１ａに差し込むことができる。
また、切欠３１ｂ、３１ｃが本体部３１の隅部に形成されているが、この切欠は、図示されたものに限定されず、任意の大きさおよび位置を占めることができる。
また、貫通孔３１ａは、円形に形成されているが、これに限定されず、円形以外に四角形、三角形、楕円形等の各種の形状でもよい。
【００１８】
【発明の効果】
請求項１記載の発明に関わる容器の開口部の補助部材は、容器の開口部の面積を容易に狭くすることができる。さらに、前記補助部材の各係止部を前記容器の開口部の縁に係止することが容易になるので、前記補助部材を使用することが容易になる。
【００１９】
さらに、請求項２に記載された発明は、容器の開口部の面積を容易に狭くすることができる。さらに、前記補助部材の各係止部を前記容器の開口部の縁に係止することが容易になるので、前記補助部材を使用することが容易になる。さらに、前記係止片を使用して、補助部材を容器の開口部を覆うように容器に取り付けることができる。
【図面の簡単な説明】
【図１】本発明の第１の実施の形態に係る容器の開口部の補助部材を示す斜視図である。
【図２】図１のII−II断面を示す断面図である。
【図３】本発明の第２の実施の形態に係る容器の開口部の補助部材を示す斜視図である。
【図４】図３のIV−IV断面を示す断面図である。
【図５】本発明の各実施の形態に係る補助部材を展開した状態を示す部分図である。
【符号の説明】
１  容器
１０  容器本体
１１  上面開口部
２０  上枠体
２１  上面開口部
３０  補助部材
３１  本体部
３１ａ  貫通孔
３１ｉ、３１ｊ、３１ｐ、３１ｑ  折り曲げ線
３２、３３  係止部
３２ａ、３２ｂ、３３ａ、３３ｂ  張り出し部
３４、３５  係止片
【図１】
0004080219.tif 000002
【図２】
0004080219.tif 000003
【図３】
0004080219.tif 000004
【図４】
0004080219.tif 000005
【図５】
0004080219.tif 000006